(57)【要約】【課題】電気泳動表示装置において、更新した画像に残像が残らず、一括消去を行わない電気泳動表示装置、電気泳動表示装置の駆動方法、及び電子機器を提供すること【解決手段】第１電極と、第１電極と対向する第２電極と、両電極の間に挟持され帯電した電気泳動粒子を含む電気泳動素子と、両電極の間に電位差を与える第１画素回路及び第２画素回路とを備えた画素と、第１画素回路に接続された第１走査線４ａ及び第１データ線５ａと、第２画素回路に接続された第２走査線４ｂ及び第２データ線５ｂとを有し、第１の画素回路において第１走査線４ａの選択信号で規定される選択期間に第１データ線５ａにより供給される信号は消去信号であり、第２の画素回路において第２走査線４ｂの選択信号で規定される選択期間に第２データ線５ｂにより供給される信号は画像信号であることを特徴とする電気泳動表示装置１とした。【選択図】図１
2008216862.tif 000002
【特許請求の範囲】
【請求項１】
第１電極と、前記第１電極と対向する第２電極と、
前記第１電極と前記第２電極との間に挟持され帯電した電気泳動粒子を含む電気泳動素子と、
前記第１電極と前記第２電極との間に電位差を与える第１画素回路及び第２画素回路とを備えた画素と、
前記第１画素回路に接続された第１走査線及び第１データ線と、
前記第２画素回路に接続された第２走査線及び第２データ線と、
を有し、
前記第１の画素回路において前記第１走査線の選択信号により規定される選択期間に前記第１データ線により供給される信号は消去信号であり、
前記第２の画素回路において前記第２走査線の選択信号により規定される選択期間に前記第２データ線により供給される信号は画像信号であることを特徴とする電気泳動表示装置。
【請求項２】
請求項１に記載の電気泳動表示装置において、
前記第１走査線に接続された第１走査線駆動回路と、
第２走査線に接続された第２走査線駆動回路と、
前記第１データ線及び前記第２データ線に接続されたデータ線駆動回路と、
を備えたことを特徴とする電気泳動表示装置。
【請求項３】
請求項１に記載の電気泳動表示装置において、
前記第１走査線に接続された第１走査線駆動回路と、
第２走査線に接続された第２走査線駆動回路と、
前記第１データ線に接続された第１データ線駆動回路と、
前記第２データ線に接続された第２データ線駆動回路と、
を備えたことを特徴とする電気泳動表示装置。
【請求項４】
請求項２又は請求項３に記載の電気泳動表示装置において、
前記画素は、前記第１走査線による選択信号と前記第２走査線による選択信号とが同時に供給されないことを特徴とする電気泳動表示装置。
【請求項５】
請求項１から請求項４の何れか１項に記載の電気泳動表示装置において、
前記電気泳動表示装置の表示部は複数の前記画素を有し、前記表示部において、前記第１走査線による第１の画素への選択信号の供給と、前記第２走査線による第２の画素への選択信号の供給が並行して行われることを特徴とする電気泳動表示装置。
【請求項６】
請求項１から請求項５の何れか１項に記載の電気泳動表示装置において、
前記消去信号は、同一の前記画素に直前に入力された前記画像信号の反転信号であることを特徴とする電気泳動表示装置。
【請求項７】
第１電極と、
前記第１電極と対向する第２電極と、
前記第１電極と前記第２電極との間に挟持され帯電した電気泳動粒子を含む電気泳動素子と、
前記第1電極と前記第２電極との間に電位差を与える画素回路と、
前記画素回路に接続された走査線と、
前記画素回路に接続されるとともに、第１及び第２データ線と接続され、
前記画素回路に対してのデータの入力信号を前記第１データ線又は前記第２データ線と切替えるデータ選択回路と、
を有する電気泳動表示装置。
【請求項８】
請求項７に記載の電気泳動表示装置において、
前記走査線の信号を駆動する走査線駆動回路と、
前記第１データ線を駆動する第１データ線駆動回路と、
前記第２データ線を駆動する第２データ線駆動回路と、
前記走査線駆動回路、前記第１データ駆動回路、前記第２データ駆動回路及び前記データ選択回路を制御する制御部と、
を備えたことを特徴とする電気泳動表示装置。
【請求項９】
請求項７又は請求項８に記載の電気泳動表示装置において、
前記電気泳動表示装置の表示部は前記画素回路を複数有し、
前記データ入力信号として前記第１データ線の信号が選択されている第１の前記画素回路に対しての前記走査線の信号により規定される第１の選択期間と、
前記データ入力信号として前記第２データ線の信号が選択されている第２の前記画素回路に対しての前記走査線の信号により規定される第２の選択期間とが並行して発生することを特徴とする電気泳動表示装置。
【請求項１０】
請求項７から請求項９の何れか１項に記載の電気泳動表示装置において、
前記第１データ線の信号は消去信号であり、前記第２データ線の信号は画像信号であることを特徴とする電気泳動表示装置。
【請求項１１】
請求項７から請求項１０の何れか１項に記載の電気泳動表示装置において、
前記消去信号は、同一の前記画素に直前に入力された前記画像信号の反転信号であることを特徴とする電気泳動表示装置。
【請求項１２】
第１電極と、
前記第１電極と対向する第２電極と、
前記第１電極と前記第２電極との間に挟持され帯電した電気泳動粒子を含む電気泳動素子と、
前記第１電極と前記第２電極との間に電位差を与える第１走査線及び第１データ線が接続された第１画素回路と、
前記第１電極と前記第２電極との間に電位差を与える第２走査線及び第２データ線が接続された第２画素回路と、
前記第１画素回路と前記第２画素回路を備えた画素と、を備えた電気泳動表示装置の駆動方法であって、
前記電気泳動表示装置の表示部は複数の前記画素を含み、
前記表示部の第１の領域の画素における前記第１画素回路に対して、前記第１走査線の選択信号とともに前記第１データ線に消去信号を供給する第１のステップと、
前記第１の領域の画素における前記第２画素回路に対して、前記第２走査線の選択信号とともに前記第２データ線に画像信号を供給する第２のステップと、
前記表示部の第２の領域の画素における前記第１画素回路に対して、前記第１走査線の選択信号とともに前記第１データ線に消去信号を供給する第３のステップと、
前記第２の領域の画素における前記第２画素回路に対して前記第２走査線の選択信号とともに前記第２データ線に画像信号を供給する第４のステップと、
を有し、
前記第１のステップと前記第４のステップが同時に行われる第１の期間と、前記第２のステップと前記第３のステップが同時に行われる第２の期間とを有することを特徴とする電気泳動装置の駆動方法。
【請求項１３】
請求項１２に記載の電気泳動表示装置の駆動方法であって、
前記第１走査線を介した前記選択信号の入力と、前記第２走査線を介した前記選択信号の入力とのタイミングが一致していることを特徴とする電気泳動表示装置の駆動方法。
【請求項１４】
請求項１２から請求項１３の何れか１項に記載の電気泳動表示装置の駆動方法であって、
前記消去信号は、同一の前記画素に直前に入力された前記画像信号の反転信号であることを特徴とする電気泳動表示装置の駆動方法。
【請求項１５】
請求項１から請求項１１の何れか１項に記載の電気泳動表示装置を備えた電子機器。
【発明の詳細な説明】
【技術分野】
【０００１】
本発明は、電気泳動表示装置、電気泳動表示装置の駆動方法、及び電子機器に関する。
【背景技術】
【０００２】
電気泳動表示装置においては、電気泳動素子を挟持する電極間に電位差を与えると、帯電した電気泳動粒子が電気泳動素子内を移動し、表示面側の電極に移動した電気泳動粒子の色によって画像を形成する。さらに、電極間の電位差が無くなった後も、電気泳動粒子は移動せず、画像を保持することができる。
【０００３】
このような電気泳動表示装置において、画像を更新する方法として、表示部のすべての画素に対して、前画像の画像データの消去動作を行った後、新画像を書込む方法が知られている。（特許文献１）
【特許文献１】特開２００２−１４９１１５号公報
【発明の開示】
【発明が解決しようとする課題】
【０００４】
しかしこの方法では、前画像において異なった色を表示している画素であっても、すべての画素に対して、同じ方法で消去動作が行われてしまう。例えば、前画像において白表示であった画素に対して、消去動作により白表示させる場合と、前画像において黒表示であった画素に対して、消去動作により白表示させる場合とでは、電気泳動素子に与える影響は異なっている。
【０００５】
このような方法で消去動作を繰り返すと、画素間での電気泳動粒子内の電位バランスが不均一となり、書込み動作において白表示が残像として残ってしまうことがある。このような状態になると、所望の画像を表示することができなくなってしまう。
【０００６】
また、仮に前画像の残像が残らないとしても、画像を更新する毎に、消去動作によって全面に単一色の画像が一時的に表示されるため、この電気泳動表示装置を備えた電子機器の利用者に対してストレスを与えていた。
【０００７】
本発明は、更新した画像に残像がなく、単一色の画像が一時的に表示されない電気泳動表示装置、電気泳動表示装置の駆動方法、及び電子機器を提供することを目的とするものである。
【課題を解決するための手段】
【０００８】
本発明は、以下の構成を特徴とする電気泳動表示装置、電気泳動表示装置の駆動方法、及び電子機器である。
【０００９】
第１電極と、前記第１電極と対向する第２電極と、前記第１電極と前記第２電極との間に挟持され帯電した電気泳動粒子を含む電気泳動素子と、前記第１電極と前記第２電極との間に電位差を与える第１画素回路及び第２画素回路とを備えた画素と、前記第１画素回路に接続された第１走査線及び第１データ線と、前記第２画素回路に接続された第２走査線及び第２データ線とを有し、前記第１の画素回路において前記第１走査線の選択信号により規定される選択期間に前記第１データ線により供給される信号は消去信号であり、前記第２の画素回路において前記第２走査線の選択信号により規定される選択期間に前記第２データ線により供給される信号は画像信号であることを特徴とする電気泳動表示装置である。この構造により、更新した画像に残像がなく、単一色の画像が一時的に表示されない電気泳動表示装置とすることができる。
【００１０】
前記第１走査線に接続された第１走査線駆動回路と、第２走査線に接続された第２走査線駆動回路と、前記第１データ線及び前記第２データ線に接続されたデータ線駆動回路とを備えることが好ましい。この構造を有することで、前記消去動作を行う前記画素に前記選択信号を入力する前記走査線駆動回路と、前記書込み動作を行う前記画素に前記選択信号を入力する前記走査線駆動回路とを、独立して使用することができる電気泳動表示装置とすることができる。
【００１１】
前記第１走査線に接続された第１走査線駆動回路と、第２走査線に接続された第２走査線駆動回路と、前記第１データ線に接続された第１データ線駆動回路と、前記第２データ線に接続された第２データ線駆動回路とを備えることが好ましい。この構造を有することで、前記消去信号を前記画素に入力する前記データ線駆動回路と、前記画像信号を前記画素に入力する前記データ線駆動回路とを独立して使用することができる電気泳動表示装置とすることができる。
【００１２】
前記画素は、前記第１走査線による選択信号と前記第２走査線による選択信号とが同時に供給されないことが好ましい。これにより、前記１つの画素に対して、前記消去信号及び画像信号が同時に入力されないので、画像を混同しない電気泳動表示装置とすることができる。
【００１３】
前記電気泳動表示装置の表示部は複数の前記画素を有し、前記表示部において、前記第１走査線による第１の画素への選択信号の供給と、前記第２走査線による第２の画素への選択信号の供給が並行して行われることが好ましい。この構造を有することで、前記消去動作を行う前記画素と、前記書込み動作を行う前記画素とを別々にすることができるので、前記消去動作を行いながら、前記書込み動作を行うことができる。そのため、すべての前記画素が消去された状態を表示することなく、前記画像の書換え動作を行うことができる電気泳動表示装置とすることができる。
【００１４】
前記消去信号は、同一の前記画素に直前に入力された前記画像信号の反転信号であることが好ましい。これにより、前記消去動作において、前記電気泳動素子における電位バランスを保持できる電気泳動表示装置とすることができる。
【００１５】
第１電極と、前記第１電極と対向する第２電極と、前記第１電極と前記第２電極との間に挟持され帯電した電気泳動粒子を含む電気泳動素子と、前記第1電極と前記第２電極との間に電位差を与える画素回路と、前記画素回路に接続された走査線と、前記画素回路に接続されるとともに、第１及び第２データ線と接続され、前記画素回路に対してのデータの入力信号を、前記第１データ線又は前記第２データ線と切替えるデータ選択回路とを有する電気泳動表示装置である。この構造により、前記走査線、及び前記走査線駆動回路を削減し、画素回路を簡略化することができる。これにより、製造コストを削減できる電気泳動表示装置とすることができる。
【００１６】
前記走査線の信号を駆動する走査線駆動回路と、前記第１データ線を駆動する第１データ線駆動回路と、前記第２データ線を駆動する第２データ線駆動回路と、前記走査線駆動回路、前記第１データ駆動回路、前記第２データ駆動回路及び前記データ選択回路を制御する制御部とを備えることが好ましい。この構造を備えることで、複数の制御部を備える必要がないので、設計コストを削減できる電気始動表示装置とすることができる。
【００１７】
前記電気泳動表示装置の表示部は前記画素回路を複数有し、前記データ入力信号として前記第１データ線の信号が選択されている第１の前記画素回路に対しての前記走査線の信号により規定される第１の選択期間と、前記データ入力信号として前記第２データ線の信号が選択されている第２の前記画素回路に対しての前記走査線の信号により規定される第２の選択期間とが並行して発生することが好ましい。この構造を備えることによって、並行して前記消去動作及び前記書込み動作を行うための、前記異なる画素を選択することができる電気泳動表示装置とすることができる。
【００１８】
前記第１データ線の信号は消去信号であり、前記第２データ線の信号は画像信号であること好ましい。これにより、前記異なる画素に対して、並行して前記消去信号及び前記画像信号を入力することができる電気泳動表示装置とすることができる。
【００１９】
前記消去信号は、同一の前記画素に直前に入力された前記画像信号の反転信号であることが好ましい。これにより、前記消去動作において、前記電気泳動素子における電位バランスを保持できる電気泳動表示装置とすることができる。
【００２０】
第１電極と、前記第１電極と対向する第２電極と、前記第１電極と前記第２電極との間に挟持され帯電した電気泳動粒子を含む電気泳動素子と、前記第１電極と前記第２電極との間に電位差を与える第１走査線及び第１データ線が接続された第１画素回路と、前記第１電極と前記第２電極との間に電位差を与える第２走査線及び第２データ線が接続された第２画素回路と、前記第１画素回路と前記第２画素回路を備えた画素と、を備えた電気泳動表示装置の駆動方法であって、前記電気泳動表示装置の表示部は複数の前記画素を含み、前記表示部の第１の領域の画素における前記第１画素回路に対して、前記第１走査線の選択信号とともに前記第１データ線に消去信号を供給する第１のステップと、前記第１の領域の画素における前記第２画素回路に対して、前記第２走査線の選択信号とともに前記第２データ線に画像信号を供給する第２のステップと、前記表示部の第２の領域の画素における前記第１画素回路に対して、前記第１走査線の選択信号とともに前記第１データ線に消去信号を供給する第３のステップと、前記第２の領域の画素における前記第２画素回路に対して前記第２走査線の選択信号とともに前記第２データ線に画像信号を供給する第４のステップとを有し、前記第１のステップと前記第４のステップが同時に行われる第１の期間と、前記第２のステップと前記第３のステップが同時に行われる第２の期間とを有することを特徴とする電気泳動装置の駆動方法である。この駆動方法を用いることによって、前記異なる画素において、前記消去動作と前記書込み動作とを並行して行うことができる電気泳動表示装置の駆動方法とすることができる。
【００２１】
前記第１走査線を介した前記選択信号の入力と、前記第２走査線を介した前記選択信号の入力とのタイミングが一致していることが好ましい。これにより、前記異なる前記画素において、前記消去動作及び前記書込み動作を同時に行うことができる電気泳動表示装置の駆動方法とすることができる。
【００２２】
前記消去信号は、同一の前記画素に直前に入力された前記画像信号の反転信号であることが好ましい。これにより、前記消去動作において、前記電気泳動素子における電位バランスを保持できる電気泳動表示装置の駆動方法とすることができる。
【００２３】
本発明に係る電気泳動表示装置を備えた電子機器である。これらの構造を備えた電気泳動表示装置を用いることによって、更新した画像に残像がなく、単一色の画像が一時的に表示されない電子機器とすることができる。
【発明を実施するための最良の形態】
【００２４】
［第１の実施形態］
以下に、図面を用いて本発明における電気泳動表示装置について説明する。図１は本発明の実施形態に係る電気泳動表示装置１の構成図である。図１に示すように、電気泳動表示装置１は、Ｙ軸方向に沿ってＭ個、Ｘ軸方向に沿ってＮ個のマトリクス状（Ｍ行Ｎ列）に画素２が並んだ表示部３と、表示部３をＸ軸方向に沿って延在するＭ本消去用走査線４ａ（ＹＥ１、ＹＥ２、…、ＹＥｍ）と、表示部３をＸ軸方向に沿って延在するＭ本の書込み用走査線４ｂ（ＹＷ１、ＹＷ２、…、ＹＷｍ）と、表示部３をＹ軸方向に沿って延在するＮ本の消去用データ線５ａ（ＸＥ１、ＸＥ２、…、ＸＥｎ）と、表示部３をＹ軸方向に沿って延在するＮ本の書込み用データ線５ｂ（ＸＷ１、ＸＷ２、…、ＸＷｎ）と、消去用走査線４ａを介して画素２の選択信号を入力する消去用走査線駆動回路６ａと、書込み用走査線４ｂを介して画素２の選択信号を入力する書込み用走査線駆動回路６ｂと、消去用データ線５ａを介して画素２に消去信号を入力する消去用データ線駆動回路７ａと、書込み用データ線５ｂを介して画素２に画像信号を入力する書込み用データ線駆動回路７ｂと、共通電極用電源配線２６を介して画素２の共通電極（第２電極、図示しない）に信号を入力するとともに、保持容量用電源配線２７を介して画素２の保持容量（図示しない）信号を入力する共通電極変調回路８と、２つの走査線駆動回路、２つのデータ線駆動回路、及び共通電極変調回路８に信号を入力するコントローラ１０とを含んだ構成となっている。共通電極の電位は、すべての画素２において同一であるので、共通電極用電源配線２６は共通配線として用いられる。保持容量用電源配線２７も、すべての画素２において共通に用いられる配線で、ある一定の電位に保たれている。
【００２５】
図２は、画素２の回路構成を示す図である。図２に示すように、画素電極（第１電極）２１は、消去用ＴＦＴ（第１画素回路）２４ａを介して消去用データ線５ａと、書込み用ＴＦＴ（第２画素回路）２４ｂを介して書込み用データ線５ｂと接続されており、共通電極（第２電極）２２は共通電極用電源配線２６と接続されている。消去用ＴＦＴ２４ａのゲート部は消去用走査線４ａと、書込み用ＴＦＴ２４ｂのゲート部は書込み用走査線４ｂと接続されている。電気泳動素子２３は画素電極２１と共通電極２２に挟持されている。保持容量２５の一方の電極は、消去用ＴＦＴ２４ａと書込み用ＴＦＴ２４ｂと画素電極２１とに接続され、他方の電極は、保持容量用電源配線２７に接続されている。保持容量２５は、消去用ＴＦＴ２４ａあるいは書込み用ＴＦＴ２４ｂがオフ状態になったときに画像データを保持するために用いられる。
【００２６】
図３は電気泳動表示装置１の表示部３の断面図である。図２に示すように、表示部３は素子基板２８上に形成された画素電極２１と、対向基板２９上に形成された共通電極２２とが、複数のマイクロカプセル３０により構成される電気泳動素子２３を挟持する構成となっている。
【００２７】
素子基板２８は、例えばガラスやプラスティックなどの材料を矩形に成型した基板である。素子基板２８上に画素電極２１が形成され、画素電極２１はそれぞれの画素２ごとに矩形に形成されている。図示は省略しているが、各画素電極２１の間の領域や画素電極２１の下面には、走査線４、データ線５、共通電極用電源配線２６、保持容量用電源配線２７等の配線、ＴＦＴ２４等が形成されている。
【００２８】
対向基板２９は、画像を表示する側となるため、例えばガラス等の透光性を持つ材質を用いた、矩形状に形成された基板である。対向基板２９上に形成された共通電極２２には、透光性と導電性とを備えた材質が用いられ、例えばＭｇＡｇ（マグネシウム銀）、ＩＴＯ（インジウム・スズ酸化物）、ＩＺＯ（インジウム・亜鉛酸化物）等が挙げられる。
【００２９】
図４は、マイクロカプセル３０の構成図である。マイクロカプセル３０は、例えば５０μｍ程度の粒径を有すると共にポリメタクリル酸メチル、ポリメタクリル酸エチル等のアクリル樹脂、ユリア樹脂、アラビアゴム等の透光性を持つ高分子樹脂によって形成されている。このマイクロカプセル３０は、共通電極２２と上述の画素電極２１との間に挟持されており、一つの画素内に複数のマイクロカプセル３０が縦横に配列された構成になっている。マイクロカプセル３０の周囲を埋めるように、当該マイクロカプセル３０を固定するバインダ（図示しない）が設けられている。
【００３０】
マイクロカプセル３０の内部には、分散媒３１と、電気泳動粒子として複数の白色粒子３２、複数の黒色粒子３３の帯電粒子が封入されている。
【００３１】
分散媒３１としては、例えば水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩又はその他の種々の油類等の単独又はこれらの混合物に界面活性剤等を配合したものからなり、白色粒子３２と黒色粒子３３とをマイクロカプセル３０内に分散させる液体である。
【００３２】
白色粒子３２は、例えば、二酸化チタン、亜鉛華、三酸化アンチモン等の白色顔料からなる粒子（高分子あるいはコロイド）であり、例えば負に帯電されている。
【００３３】
黒色粒子３３は、例えば、アニリンブラック、カーボンブラック等の黒色顔料からなる粒子（高分子あるいはコロイド）であり、例えば正に帯電されている。
【００３４】
このため、白色粒子３２及び黒色粒子３３は、分散媒３１中で画素電極２１と共通電極２２との間の電位差によって発生する電場中を移動することができる。
【００３５】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００３６】
白色粒子３２及び黒色粒子３３は溶媒中のイオンによって覆われており、これらの粒子の表面にはイオン層３４が形成されている。帯電している白色粒子３２及び黒色粒子３３とイオン層３４との間には、電気二重層が形成されている。一般的に、白色粒子３２や黒色粒子３３などの帯電粒子は、１０ｋＨｚ以上の周波数の電界を印加しても、電界にほとんど反応せず、ほとんど移動しないことが知られている。帯電粒子の周りのイオンは、帯電粒子に比べて粒子径がはるかに小さいので、電界の周波数が１０ｋＨｚ以上の電界を印加すると電界に応じて移動することが知られている。
【００３７】
図５はマイクロカプセル３０の動作を説明した図である。ここでは、イオン層３４が形成されない理想的な場合を例に挙げて説明する。画素電極２１と共通電極２２との間で相対的に共通電極２２の電圧が高くなるように電圧を印加すると、図５（ａ）に示すように、正に帯電された黒色粒子３３はクーロン力によってマイクロカプセル３０内で画素電極２１側に引き寄せられる。一方、負に帯電された白色粒子３２はクーロン力によってマイクロカプセル３０内で共通電極２２側に引き寄せられる。この結果、マイクロカプセル３０内の表示面側には白色粒子３２が集まることになり、表示面にはこの白色粒子３２の色（白色）が表示されることとなる。
【００３８】
逆に、画素電極２１と共通電極２２との間に相対的に画素電極２１の電位が高くなるように電圧を印加すると、図５（ｂ）に示すように、負に帯電された白色粒子３２がクーロン力によって画素電極２１側に引き寄せられる。逆に、正に帯電された黒色粒子３３はクーロン力によって共通電極２２側に引き寄せられる。この結果、マイクロカプセル３０の表示面側には黒色粒子３３が集まることになり、表示面にはこの黒色粒子３３の色（黒色）が表示されることとなる。
【００３９】
なお、白色粒子３２、黒色粒子３３に用いる顔料を、例えば赤色、緑色、青色等の顔料に代えることによって、赤色、緑色、青色等を表示する電気泳動表示装置１とすることができる。
【００４０】
以上で説明した本発明に係る電気泳動表示装置１における、画像の書換え動作について説明する。図６は書換え動作時の消去用走査線４ａ、書込み用走査線４ｂ、消去用データ線５ａ、書込み用データ線５ｂ、共通電極２２にかかる波形のタイミングチャートを示す図である。図１で示したように、Ｍ本ある消去用走査線４ａは表示部３の上端から順にＹＥ１、ＹＥ２、…、ＹＥｍと呼び、Ｍ本ある書込み用走査線４ｂは表示部３の上端から順にＹＷ１、ＹＷ２、…、ＹＷｍと呼び、Ｎ本ある消去用データ線５ａは表示部３の左端から順にＸＥ１、ＸＥ２、…、ＸＥｎと呼び、Ｎ本ある書込み用データ線５ｂは表示部３の左端から順にＸＷ１、ＸＷ２、…、ＸＷｎと呼ぶことにする。さらに、消去用走査線ＹＥｉ（１≦ｉ≦ｍ）と消去用データ線ＸＥｊ（１≦ｊ≦ｎ）に接続される画素２においては、消去信号をＤＥｉｊ、画像信号をＤＷｉｊとする。
【００４１】
消去用走査線駆動回路６ａによって選択信号が供給された消去用走査線４ａに接続された画素２に消去信号ＤＥが入力され、書込み用走査線駆動回路６ｂによって選択信号が供給された書込み用走査線４ｂに接続された画素２に書込み信号ＤＷが入力される。
【００４２】
消去用走査線駆動回路６ａは、消去用走査線ＹＥ１からＹＥｍまでを順次選択し、書込み用走査線駆動回路６ｂは、書込み用走査線ＹＷ１からＹＷｍまでを順次選択する。ただし、消去用走査線駆動回路６ａ及び書込み用走査線駆動回路６ｂは、それぞれ異なる走査線を選択し、さらに消去動作が先行している。
【００４３】
ある画素２において、消去動作が始まってから一定期間Ｔ２が経過すると、書込み動作が始まり画像信号ＤＷが入力される。
【００４４】
本実施形態においては、消去用走査線駆動回路６ａが、消去用走査線ＹＥｉを介して、消去用走査線ＹＥｉに接続された画素２に選択信号を入力するタイミングと、書込み用走査線駆動回路６ｂが、書込み用走査線ＹＷ１を介して、書込み用走査線ＹＷ１に接続された画素２に選択信号を入力するタイミングとは一致している。
【００４５】
このため、消去用走査線駆動回路６ａ及び消去用データ線駆動回路７ａによる消去動作と、書込み用走査線駆動回路６ｂ及び書込み用データ線駆動回路７ｂによる書込み動作とは、表示部３における異なる行の画素２に対して同時に実行される。
【００４６】
本実施形態においては、消去動作とは、画素２を白表示にすることとし、書込み動作とは、画素２を黒表示にすることとする。消去信号ＤＥとしては、前画像の画像信号ＤＷの反転信号を用いている。また、常に共通電極２２に入力される信号は、電位Ｖｃｏｍがハイレベル（ＣＯＭＨ）の期間とローレベル（ＣＯＭＬ）の期間とを、Ｔ１より短い、一定の周期で繰り返すパルス状になっている。
【００４７】
なお、共通電極２２に入力される信号の周波数は、３０Ｈｚ以上であることが好ましい。３０Ｈｚ以上の周波数にすると、画像がちらつかないようにすることができるので、利用者はストレスを感じない。
【００４８】
図７は、画素電極２１と共通電極２２とに入力される信号の電位の関係を示したものである。共通電極２２に入力される信号の電位Ｖｃｏｍは、ＣＯＭＨ、ＣＯＭＬであり、画素電極２１に入力される消去信号ＤＥ及び画像信号ＤＷの電位は、ＤＨ（ハイレベル）、ＤＬ（ローレベル）である。これらの電位の関係は図７に示すように、ＤＬ＜ＣＯＭＬ＜ＣＯＭＨ＜ＤＨとなっている。
【００４９】
画素電極２１の電位は時間が経過するとともにＤＨから低下してゆく。消去用ＴＦＴ２４ａ及び書込み用ＴＦＴ２４ｂがオフ状態になると、保持容量２５が充電されないので、消去用ＴＦＴ２４ａ、書込み用ＴＦＴ２４ｂ、及び周辺の基板等へのオフリーク電流によって、保持容量２５に保持されていた電位が低下してゆくからである。
【００５０】
しかし、本実施形態に係る電気泳動表示装置１においては、画像信号ＤＷの入力が終了してから、次の画像の表示に備えた消去信号ＤＥが入力されるまでの期間（Ｔ）、ＣＯＭＨ＜ＤＨを維持できるように設計されている。
【００５１】
図８は、共通電極２２に電位ＶｃｏｍがＣＯＭＨの期間とＣＯＭＬの期間とを周期的に複数回繰り返す信号が入力された場合における、電気泳動粒子の運動の模式図である。図８（ａ）では、前画像において黒表示されている画素２が、消去によって白表示に変わる様子を示している。画素電極２１には、消去信号ＤＥ（電位ＤＬ）が前画像の反転信号として入力されている。共通電極２２の電位がＣＯＭＨである場合には、画素電極２１と共通電極２２との間に大きな電位差が発生し、黒色粒子３３は画素電極２１に向かって進み、白色粒子３２は共通電極２２に向かって進む。
【００５２】
その一方で、共通電極２２の電位ＶｃｏｍがＣＯＭＬのときは、画素電極２１と共通電極２２との電位差は小さい。この電位差が電気泳動粒子に影響を与えることはほとんどなく、共通電極２２の電位ＶｃｏｍがＣＯＭＨのときに加速された電気泳動粒子の運動は、マイクロカプセル３０の中の分散媒３１との衝突によって減速される。よって、共通電極２２の電位ＶｃｏｍがＣＯＭＨであるときのみ、電気泳動粒子が移動して消去動作がなされる。
【００５３】
次に図８（ｂ）では、前画像において白表示されている画素２が、書込み動作によって黒表示に変わる様子を示している。画素電極２１には、画像信号ＤＷ（電位ＤＨ）が入力されている。共通電極２２の電位がＣＯＭＬである場合には、画素電極２１と共通電極２２との間に大きな電位差が発生し、白色粒子３２は画素電極２１に向かって進み、黒色粒子３３は共通電極２２に向かって進む。
【００５４】
その一方で、共通電極２２の電位がＣＯＭＨのときは、画素電極２１と共通電極２２との電位差は小さい。この電位差が電気泳動粒子に影響を与えることはほとんどなく、共通電極２２の電位ＶｃｏｍがＣＯＭＬのときに加速された電気泳動粒子の運動は、マイクロカプセル３０の中の分散媒３１との衝突によって減速される。よって、共通電極２２の電位ＶｃｏｍがＣＯＭＬであるときのみ、電気泳動粒子が移動して書込み動作がなされる。
【００５５】
書換え動作を行うためには、まず、消去用走査線駆動回路６ａによって、一定期間Ｔ１だけ消去用走査線ＹＥ１の電位をローレベル（以下Ｌとする）からハイレベル（以下Ｈとする）にし、消去用走査線ＹＥ１に接続されたＮ個の画素２が選択される。これによってＮ個の画素２における消去用ＴＦＴ２４ａがオン状態となり、Ｎ個の画素電極２１と消去用データ線ＸＥ１、ＸＥ２、…、ＸＥｎとがそれぞれ接続される。これにより前画像の消去動作が開始される。そしてＴ１の間に、消去用データ線駆動回路７ａから消去用データ線ＸＥ１、ＸＥ２、…、ＸＥｎを介して、消去信号ＤＥ１１、ＤＥ１２、…、ＤＥ１ｎを画素電極２１に入力し、直前の画像データの消去と、保持容量２５の充電とを行う。その後、消去用走査線駆動回路６ａによって、消去用走査線ＹＥ１の電位をＨからＬとして、消去用走査線ＹＥ１に接続されたＮ個の画素２の選択状態を解除する。消去用ＴＦＴ２４ａがオフ状態になった後も、保持容量２５に保持された電位と、共通電極２２の電位Ｖｃｏｍによって、書込み用回路により同画素２が選択されるまでの間、画素２の内部で消去動作が引き続き行われる。
【００５６】
消去信号ＤＥ１１、ＤＥ１２、…、ＤＥ１ｎによって画像データが消去されることによって、消去用走査線ＹＥ１に接続されているＮ個の画素２はすべて同じ色（白色）になる。
【００５７】
消去用走査線ＹＥ１に接続された画素２の選択状態を解除すると同時に、消去用走査線駆動回路６ａによって、次段の消去用走査線ＹＥ２の電位がＬからＨにされる。これによって、消去用走査線ＹＥ２に接続された画素２が選択されて、画像データの消去、及び保持容量２５の充電が行われた後、消去用走査線ＹＥ２の電位がＨからＬにされる。同様の動作を消去用走査線ＹＥｍに接続された画素２まで行うことによって、表示部３のすべての画素２に対して消去動作を行う。なお前述したように、共通電極２２の電位Ｖｃｏｍは、周期的にＣＯＭＨの期間とＣＯＭＬの期間とを繰り返すが、共通電極２２の電位ＶｃｏｍがＣＯＭＨであるときのみ、電気泳動粒子が移動して消去動作がなされる。
【００５８】
消去用走査線ＹＥ１に接続された画素２において、消去動作が開始されてから所定の時間Ｔ２が経過すると、書込み用走査線駆動回路６ｂによって、書込み用走査線ＹＷ１の電位がＬからＨとなり書込み動作が開始される。この時間Ｔ２は、画素２における画像データの消去が十分に行われ、なおかつ、過剰な消去によって、電気泳動素子２３の内部の電位バランスを崩さないように設定される。
【００５９】
一定期間Ｔ１の間、書込み用走査線ＹＷ１の電位がＬからＨとなり、書込み用ＴＦＴ２４ｂがオン状態となり、Ｎ個の画素電極２１と書込み用データ線ＸＷ１、ＸＷ２、…、ＸＷｎとがそれぞれ接続される。そして書込み用データ線駆動回路７ｂから書込み用データ線ＸＷ１、ＸＷ２、…、ＸＷｎのそれぞれを介して、消去信号ＤＷ１１、ＤＷ１２、…、ＤＷ１ｎを画素電極２１に入力する。新しい画像データの書込みと、保持容量２５の充電とを行った後、書込み用走査線駆動回路６ｂによって、書込み用走査線ＹＷ１の電位をＨからＬにして、書込み用走査線ＹＷ１に接続されたＮ個の画素２が選択された状態を解除する。書込み用ＴＦＴ２４ｂがオフ状態になった後も、保持容量２５に保持された電位と、共通電極２２の電位Ｖｃｏｍによって、画素２の内部で書込み動作が引き続き行われる。
【００６０】
一定期間Ｔ１が経過すると、書込み用走査線ＹＷ１に接続された画素２の選択状態が解除されると同時に、書込み用走査線駆動回路６ｂによって、次段の書込み用走査線ＹＷ２に接続された画素２を選択し、書込み動作を行う。このような動作を書込み用走査線ＹＷｍに接続された画素２までに対して行うことによって、すべての画素２に対して書込み動作を行うことができる。書込み動作は、消去用走査線駆動回路６ａによって、次の画像の表示に備えた消去用の選択がされるまでの期間（Ｔ３）行われる。Ｔ３は、所望の画像が表示されるために十分な時間である。なお、前述した通り、共通電極２２の電位Ｖｃｏｍは、一定の周期でＣＯＭＨの期間とＣＯＭＬの期間とを繰り返しているが、共通電極２２の電位ＶｃｏｍがＣＯＭＬであるときのみ、電気泳動粒子が移動して書込み動作がなされる。
【００６１】
本実施形態に係る電気泳動表示装置１においては、消去用回路と書込み用回路とを独立して備えているので、消去用回路と書込み用回路を並行して動作させることができる。そのため、消去動作が最後の行まで終わらないうちに、消去済みの画素２に対して書込み動作を開始することができる。これによって、画像の書換え動作時において、白あるいは黒の単一色が一時的に表示されることのない電気泳動表示装置１とすることができるので、利用者は、ストレスを感じることなく、電気泳動表示装置１を利用することができる。
【００６２】
以上で説明した書換え動作の具体例と、そのときの各電極の電位と、電気泳動素子２３における白色粒子３２、黒色粒子３３の運動の様子について、図９、図１０を用いて説明する。
【００６３】
図９は本発明に係る電気泳動表示装置１において、書換え動作時における表示部３の模式図である。図９では前画像で四角形であったものが三角形に書換えられる様子を表している。このとき、表示部３の中心部に近いある消去用走査線ＹＥｉ（１＜ｉ＜ｍ）に接続された画素２の中からＡ、Ｂ、Ｃの３つの画素２を選んで、書換え動作時において、この３つの画素Ａ、Ｂ、Ｃにおける電気泳動粒子の運動の様子を説明する。図１０は画素Ａ、Ｂ、Ｃにおける両電極の電位と、そのときにおける白色粒子３２、黒色粒子３３の運動の様子を示す図である。
【００６４】
書換え動作の開始前には四角形が表示部３に表示されて、このときの電気泳動表示装置１は、前画像の書込が完了し前画像が保持されている状態である。この状態が図９（ａ）であり、画素Ａでは白、画素Ｂでは黒、画素Ｃでは黒が表示されている。画素電極２１の電位は、画素ＡではＤＬ、画素ＢではＤＨ、画素ＣではＤＨである。常に共通電極２２の電位ＶｃｏｍはＣＯＭＨの期間とＣＯＭＬの期間とを周期的に繰り返している。この様子を示したのが図１０（ａ）である。
【００６５】
書換え動作は表示部３の上端から行われる。消去用走査線ＹＥｉに接続された画素２まで消去された画像を見ると、消去用走査線ＹＥ１から消去用走査線ＹＥｉまでに接続された画素２では前画像の画像データが消去されている。また、消去用走査線ＹＥｉから下の領域では、まだ消去動作が行われていないため、前画像である四角形の一部が残っている。これを表しているのが、図９（ｂ）である。
【００６６】
このときの画素Ａ、Ｂ、Ｃでは図１０（ｂ）から図１０（ｃ）に示すように動作している。消去動作において、画素電極２１には前画像の画像信号ＤＷの反転信号が消去信号ＤＥとして入力されるので、画素Ａの画素電極２１の電位はＤＬからＤＨに、画素Ｂの画素電極２１の電位はＤＨからＤＬに、画素Ｃの画素電極２１の電位はＤＨからＤＬに変わる。共通電極２２の電位ＶｃｏｍはＣＯＭＨの期間とＣＯＭＬの期間とを周期的に繰り返している。
【００６７】
このため、共通電極２２の電位ＶｃｏｍがＣＯＭＨであるとき、画素Ａでは両電極の間に大きな電位差が発生しないので、電気泳動粒子はほとんど移動しない。よって、白表示が保持される。画素Ｂ、Ｃでは、両電極の間に大きな電位差が発生し、黒色粒子３３は画素電極２１に移動し、白色粒子３２は共通電極２２に移動する。共通電極２２の電位ＶｃｏｍがＣＯＭＬであるとき、画素Ａでは大きい電位差が発生するが、共通電極２２の電位ＶｃｏｍがＣＯＭＨである期間は短いので、電気泳動粒子の運動には大きな影響を与えず、白色粒子３２が共通電極２２から大きく離れることはない。画素Ｂ、Ｃの両電極の間には大きな電位差が発生しないので、電気泳動粒子の運動は影響を受けず、分散媒３１との衝突によって減速される。このような動作を繰り返すことによって、図１０（ｂ）を経て、図１０（ｃ）の状態となり画素Ａ、Ｂ、Ｃにおいて白色が表示される。
【００６８】
次に、消去動作が開始されて所定の期間Ｔ２が経過すると、書込み動作が開始されて表示部３では消去動作が行われる画素２と、書込み動作が行われる画素２とが混在する図９（ｃ）の状態となる。
【００６９】
書換え動作が進み、消去用走査線ＹＥｍに接続された画素２まで消去動作が終了すると、書込み動作だけが行われ（図９（ｄ））、すべての画素２に対して書込み動作が完了すると、新しい画像である三角形が表示部３の全体に表示され、書換え動作が完了する（図９（ｅ））。
【００７０】
このとき、画素Ａ、Ｂ、Ｃでは図１０（ｄ）、図１０（ｅ）に示すように動作している。書込み動作において、画素電極２１に画像信号ＤＷが入力されると、画素Ａの画素電極２１の電位はＤＨからＤＬに変わり、画素Ｂの画素電極２１の電位はＤＬからＤＨに変わり、画素Ｃの画素電極２１の電位はＤＬからＤＬで変わらない。
【００７１】
このため、共通電極２２の電位ＶｃｏｍがＣＯＭＬであるとき、画素Ａ、Ｃでは両電極の間に大きな電位差が発生しないので、電気泳動粒子はほとんど移動しない。よって、白表示が保持される。画素Ｂでは、両電極の間に大きな電位差が発生し、白色粒子３２は画素電極２１に移動し、黒色粒子３３は共通電極２２に移動する。共通電極２２の電位ＶｃｏｍがＣＯＭＬであるとき、画素Ａ、Ｃでは大きい電位差が発生するが、共通電極２２の電位ＶｃｏｍがＣＯＭＨである期間は短いので、電気泳動粒子の運動には大きな影響を与えない。また電気泳動粒子が移動するとしても、白色粒子３２は共通電極２２に引き寄せられ、黒色粒子３３は画素電極２１に引き寄せられるので、白表示を保持することができる。画素Ｂの両電極の間には大きな電位差が発生しないので、電気泳動粒子の運動は影響を受けず、分散媒３１との衝突によって減速される。このような動作を繰り返すことによって、図１０（ｄ）を経て、図１０（ｅ）の状態となり画素Ａ、Ｃにおいて白色が表示され、画素Ｂにおいては黒色が表示される。
【００７２】
書換え動作において、消去動作の開始から所定の期間Ｔ２が経過すると、書込み動作が開始されるようにしているので、Ｔ２を短く設定することによって、消去用走査線ＹＥｍに接続された画素２まで消去される前に、書込み用走査線ＹＷ１に接続された画素２に対して書込み動作に入ることは上述した。ここで、さらに書込み時間Ｔ３を短くすると、書込み用走査線ＹＷｍに接続された画素２まで書込み動作がなされる前に、消去用走査線ＹＥ１に接続された画素２に対して消去動作に入ることができる。これによって、画像を連続して書換えることが可能となり、滑らかに動画の再生を行うことができる。
【００７３】
［第２の実施形態］
図１１は、第２の実施形態に係る電気泳動表示装置１００の構成図である。第１の実施形態と異なる点は、２つのデータ線駆動回路を用いていた第１の実施形態に対して、本実施形態では１つのデータ線駆動回路７０で電気泳動表示装置１００を駆動していることと、それに伴って、消去用データ線５ａ及び書込み用データ線５ｂは、データ線駆動回路７０に接続されていることである。この構成によって、このデータ線駆動回路７０から、消去用データ線５ａを介して消去信号ＤＥを画素２に入力するとともに、書込み用データ線５ｂを介して画像信号ＤＷを画素２に入力することができるようになっている。
【００７４】
消去用走査線駆動回路６ａによって選択された画素２には、消去用データ線５ａを介して消去信号ＤＥが入力され、書込み用走査線駆動回路６ｂによって選択された画素２に対して、書込み用データ線５ｂを介して画像信号ＤＷが入力される。
【００７５】
消去用走査線駆動回路６ａが、消去用の画素２を選択するタイミングと、書込み用走査線駆動回路６ｂが、書込み用の画素２を選択するタイミングとが一致していると、消去信号ＤＥ及び画像信号ＤＷを同時に消去用データ線５ａ及び書込み用データ線５ｂに供給し、それぞれ選択した画素２に入力することができる。その結果、データ線駆動回路７０の動作を簡略化することができる。
【００７６】
［第３の実施形態］
図１２は、第３の実施形態に係る電気泳動表示装置２００の構成図である。走査線駆動回路２０６は、走査線２０４を介して画素２０２に接続されている。消去用データ線駆動回路７ａは、消去用データ線５ａを介して画素２０２に接続されている。書込み用データ線駆動回路７ｂは、書込み用データ線５ｂを介して画素２０２に接続されている。共通電極変調回路８は、共通電極用電源配線２６及び保持容量用電源配線２７を介して画素２０２に接続されている。セレクタ回路駆動回路２５０は、セレクタ回路駆動配線２５１を介して画素２０２に接続されている。
【００７７】
表示部２０３には、Ｙ軸方向に沿ってＭ個、Ｘ軸方向に沿ってＮ個のマトリクス状に画素２０２が形成されている。Ｍ本のセレクタ回路駆動配線２５１（Ｓ１、Ｓ２、…、Ｓｍ）は、表示部２０３をＸ軸方向に沿って延在している。Ｍ本の走査線２０４（Ｙ１、Ｙ２、…、Ｙｍ）は、表示部２０３をＸ軸方向に沿って延在している。Ｎ本の消去用データ線５ａ（ＸＥ１、ＸＥ２、…、ＸＥｎ）、及びＮ本の書込み用データ線５ｂ（ＸＷ１、ＸＷ２、…、ＸＷｎ）は、表示部２０３をＹ軸方向に沿って延在している。
【００７８】
走査線駆動回路２０６、消去用データ線駆動回路７ａ、書込み用データ線駆動回路７ｂ、共通電極変調回路８、及びセレクタ回路駆動回路２５０は、コントローラ２１０により制御される。
【００７９】
図１３は、図１２における画素２０２の回路構成図である。セレクタ回路２５２は、駆動用ＴＦＴ２２４のソース部に接続されている。セレクタ回路は、消去用データ線５ａ、書込み用データ線５ｂ、及びセレクタ回路駆動配線２５１と接続されている。
【００８０】
セレクタ回路２５２は、セレクタ回路駆動配線２５１を介して、セレクタ回路駆動回路２５０から入力されたセレクト信号に基づいて、消去用データ線５ａ又は書込み用データ線５ｂの何れか１つのデータ線を選択し、駆動用ＴＦＴ２２４と接続する回路である。
【００８１】
セレクト回路２５０の一例として、Ｐ−ＭＯＳ２５２ｐ及びＮ−ＭＯＳ２５２ｎが並列に接続されたものを挙げる。Ｐ−ＭＯＳ２５２のソース側には消去用データ線５ａが接続されており、Ｎ−ＭＯＳ２５２ｎのソース側には書込み用データ線５ｂが接続されている。Ｐ−ＭＯＳ２５２ｐのゲート部及びＮ−ＭＯＳ２５２ｎのゲート部にはセレクタ回路駆動配線２５１が接続されている。
【００８２】
図１４は本実施形態に係るタイミングチャートを示す図である。１つの走査線Ｙｉに接続された画素２０４に対して消去動作を行うときは、セレクタ回路駆動配線Ｓｉにローレベル（ＳＬ）を入力する。これにより、Ｐ−ＭＯＳ側に接続されている消去用データ線５ａと駆動用ＴＦＴ２２４が接続され、駆動用ＴＦＴ２２４のソース部に消去信号ＤＥが入力される。
【００８３】
これより先は、第１、第２の実施形態と同様の動作を行い、画像を消去することができる。
【００８４】
これに対して、書込み動作を行うときは、セレクタ回路駆動配線Ｓｉにハイレベル（ＳＨ）を入力する。これにより、Ｎ−ＭＯＳ側に接続されている消去用データ線５ｂと駆動用ＴＦＴ２２４が接続され、駆動用ＴＦＴ２２４のソース部に画像信号ＤＷが入力される。
【００８５】
これより先は、第１、第２の実施形態と同様の動作を行うことで、画像を書込むことができる。
【００８６】
セレクタ回路を設けることで、１つの駆動用ＴＦＴ２２４のみを用いて、消去動作及び書込み動作を行うことができる電気泳動表示装置２００とすることができる。
【００８７】
［電子機器］
図１５は本発明に係る電気泳動表示装置１を備えた電子機器の一例である。上述した電気泳動表示装置１は、様々な電子機器に適用され、以下で上述の電気泳動表示装置１を備えた電子機器の例について説明する。まず、電気泳動表示装置１をフレキシブルな電子ペーパに適用した例について説明する。図１５はこの電子ペーパの構成を示す斜視図であり、電子ペーパ１０００は本発明の電気泳動表示装置１を表示部として備える。電子ペーパ１０００は、従来の紙と同様の質感及び柔軟性を有するシートからなる本体１００１の表面に本発明の電気泳動表示装置１を備えた構成となっている。
【００８８】
図１６は、電子ノート１１００の構成を示す斜視図であり、電子ノート１１００は、図１５で示した電子ペーパ１０００が複数枚束ねられ、カバー１１０１に挟まれているものである。カバー１１０１は、例えば外部の装置から送られる表示データを入力する表示データ入力手段（図示しない）を備える。これにより、その表示データに応じて、電子ペーパ１０００が束ねられた状態のまま、表示内容を変更したり更新したりできる。
【００８９】
また、上述した例に加えて、他の例として、液晶テレビ、ビューファインダ型やモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等が挙げられる。本発明に係る電気泳動表示装置１は、こうした電子機器の表示部としても適用することができる。
【図面の簡単な説明】
【００９０】
【図１】電気泳動表示装置１の構成図
【図２】画素２の回路構成を示す図
【図３】電気泳動表示装置１の表示部３の断面図
【図４】マイクロカプセル３０の内部の構成図
【図５】マイクロカプセル３０の動作を説明した図
【図６】書換え動作時におけるタイミングチャートを示す図
【図７】書換え動作時における電位の関係を表した図
【図８】消去動作時における電気泳動粒子の運動を説明した図
【図９】書換え動作時における表示部３の模式図
【図１０】書換え動作時における電気泳動粒子の運動を示す模式図
【図１１】第２の実施形態に係る電気泳動表示装置１００の構成図
【図１２】電気泳動表示装置２００の構成図
【図１３】画素２０２の回路構成を示す図
【図１４】第３の実施形態におけるタイミングチャートを示す図
【図１５】本発明に係る電気泳動表示装置１を備えた電子機器の一例を示す図
【図１６】本発明に係る電気泳動表示装置１を備えた電子機器の一例を示す図
【符号の説明】
【００９１】
２…画素、３…表示部、４ａ…消去用走査線、４ｂ…書込み用走査線、５ａ…消去用データ線、５ｂ…書込み用データ線、６ａ…消去用走査線駆動回路、６ｂ…書込み用走査線駆動回路、７ａ…消去用データ線駆動回路、７ｂ…書込み用データ線駆動回路、２１…画素電極、２２…共通電極、２３…電気泳動素子、２４ａ…消去用ＴＦＴ、２４ｂ…書込み用ＴＦＴ、２５…保持容量、３０…マイクロカプセル、３１…分散媒、３２…白色粒子、３３…黒色粒子、７０…データ線駆動回路、２５０…セレクタ回路駆動回路、２５１…セレクタ回路駆動配線、２５２…セレクタ回路
【図１】
2008216862.tif 000003
【図２】
2008216862.tif 000004
【図３】
2008216862.tif 000005
【図４】
2008216862.tif 000006
【図５】
2008216862.tif 000007
【図６】
2008216862.tif 000008
【図７】
2008216862.tif 000009
【図８】
2008216862.tif 000010
【図９】
2008216862.tif 000011
【図１０】
2008216862.tif 000012
【図１１】
2008216862.tif 000013
【図１２】
2008216862.tif 000014
【図１３】
2008216862.tif 000015
【図１４】
2008216862.tif 000016
【図１５】
2008216862.tif 000017
【図１６】
2008216862.tif 000018